(57)【要約】【課題】特定の対象物が置き忘れられている場合に限り、置き忘れを報知することが可能な置き忘れ報知装置を提供すること。【解決手段】充電の開始後も被充電物有無の監視が継続される。ポイントＰ１でアクセサリ電源がＯＦＦになったことを契機に充電が停止される。被充電物が取り上げられないことを前提に、ポイントＰ２でドアが開になったことを契機に、報知手段による置き忘れの報知が行われる。すなわち、充電のために所定の置き場に置かれた特定の対象物が取り上げられないことを条件に、降車有りの検出を契機として、置き忘れが報知される。したがって、特定の対象物が置き忘れられている場合に限り、置き忘れを報知することができる。【選択図】図２
2014059835.tif 000002
【特許請求の範囲】
【請求項１】
対象物が置き忘れられている場合に置き忘れを報知する置き忘れ報知装置において、
所定の置き場に対象物が置かれているか否かを監視する対象物監視手段と、
前記所定の置き場に置かれている対象物が、当該所定の置き場に置かれることで所期の目的が達成される特定の対象物であるか否かを認証する対象物認証手段と、
乗員が車両から降りることを検出する降車検出手段と、
前記対象物認証手段による肯定判断後に前記対象物監視手段により否定判断されることがないことを条件に、前記降車検出手段による降車有りの検出を契機として、報知手段による置き忘れの報知を行う制御手段とを備える
ことを特徴とする置き忘れ報知装置。
【請求項２】
前記制御手段は、前記対象物認証手段による肯定判断後に前記対象物監視手段により否定判断されたとき、当該対象物認証手段による先の肯定判断をリセットし、このリセット後の前記対象物認証手段による後の肯定判断後に前記対象物監視手段により否定判断されることがないことを条件に、前記降車検出手段による降車有りの検出を契機として、報知手段による置き忘れの報知を行う
請求項１に記載の置き忘れ報知装置。
【請求項３】
前記降車検出手段により降車有りが検出されることの条件に、アクセサリ電源がＯＦＦになったことが含まれる
請求項１又は２に記載の置き忘れ報知装置。
【請求項４】
前記制御手段は、アクセサリ電源がＯＦＦになったことを契機に、前記所定の置き場に置かれている前記特定の対象物によって所期の目的が達成されるために必要な動作を停止するとともに、前記条件を満たすとき、ドアが開になったことを契機に、前記報知手段による置き忘れの報知を行う
請求項１〜３のいずれか一項に記載の置き忘れ報知装置。
【発明の詳細な説明】
【技術分野】
【０００１】
本発明は、対象物が置き忘れられている場合に置き忘れを報知する置き忘れ報知装置に関する。
【背景技術】
【０００２】
特許文献１には、充電対象となる電気器具と充電器との双方にコイルを設け、コイル間の電磁誘導を利用しつつ非接触で電気器具を充電する技術が開示されている。この技術によると、充電器の箱体内に電気器具を収納することによって、蓄電池に対する充電が行われる。そして、この技術を用いれば、近年急速に普及しているスマートフォンと呼ばれる多機能型携帯電話を車内で充電することも可能となる。
【０００３】
ところで、車載非接触充電器にてスマートフォンを充電する場合、充電中のスマートフォンがドライバの目に触れないように設計する傾向がある。例えば、特許文献１の技術を援用すると、スマートフォンを箱体に収納した後、蓋体を閉めることで当該スマートフォンはドライバから視認不能となる。そうすることでドライバはスマートフォンの充電中にも運転に専念できるようになる。
【先行技術文献】
【特許文献】
【０００４】
【特許文献１】特開平４−３１７５２７号公報（［図１］）
【発明の概要】
【発明が解決しようとする課題】
【０００５】
しかしながら、スマートフォンを車内に置き忘れたまま降車する可能性がある。
本発明は、このような問題点に着目してなされたものであって、その目的は、特定の対象物が置き忘れられている場合に限り、置き忘れを報知することが可能な置き忘れ報知装置を提供することにある。
【課題を解決するための手段】
【０００６】
上記の目的を達成するために、請求項１に記載の発明は、対象物が置き忘れられている場合に置き忘れを報知する置き忘れ報知装置において、所定の置き場に対象物が置かれているか否かを監視する対象物監視手段と、前記所定の置き場に置かれている対象物が、当該所定の置き場に置かれることで所期の目的が達成される特定の対象物であるか否かを認証する対象物認証手段と、乗員が車両から降りることを検出する降車検出手段と、前記対象物認証手段による肯定判断後に前記対象物監視手段により否定判断されることがないことを条件に、前記降車検出手段による降車有りの検出を契機として、報知手段による置き忘れの報知を行う制御手段とを備えることをその要旨としている。
【０００７】
同構成によると、例えば、スマートフォンを充電するために、対象物である当該スマートフォンが所定の置き場に置かれると、対象物監視手段による監視により対象物有りと肯定判断されるとともに、この対象物が対象物認証手段による認証により特定の対象物であると肯定判断される。そして、この肯定判断後にスマートフォンが所定の置き場から取り上げられないことを条件に、降車検出手段により降車有りが検出されると、報知手段により置き忘れが報知される。一方、所定の置き場に、この場合、充電とは関係のない対象物が置かれると、対象物監視手段による監視では肯定判断がなされるものの、対象物認証手段による認証では否定判断がなされる。よって、この場合、当該対象物が引き続き所定の置き場に置かれている状態で、降車検出手段により降車有りが検出されても、この対象物は特定の対象物に該当しないため、置き忘れの報知はなされない。したがって、特定の対象物が置き忘れられている場合に限り、置き忘れを報知することができる。
【０００８】
請求項２に記載の発明は、請求項１に記載の置き忘れ報知装置において、前記制御手段は、前記対象物認証手段による肯定判断後に前記対象物監視手段により否定判断されたとき、当該対象物認証手段による先の肯定判断をリセットし、このリセット後の前記対象物認証手段による後の肯定判断後に前記対象物監視手段により否定判断されることがないことを条件に、前記降車検出手段による降車有りの検出を契機として、報知手段による置き忘れの報知を行うことをその要旨としている。
【０００９】
同構成によると、置き忘れの報知が必要であるか否かが判断されている期間中に特定の対象物が所定の置き場から取り上げられると、対象物認証手段による先の肯定判断がリセットされ、置き忘れの報知が必要であるか否かが改めて判断される。すなわち、後の対象物が特定の対象物に該当しない場合には置き忘れの報知はなされず、一方、後の対象物が特定の対象物に該当する場合には当該特定の対象物が所定の置き場から取り上げられないことを条件に、降車検出手段により降車有りが検出されると、報知手段により置き忘れが報知される。したがって、特定の対象物が置き忘れられている場合に限り、置き忘れを報知することができる。
【００１０】
請求項３に記載の発明は、請求項１又は２に記載の置き忘れ報知装置において、前記降車検出手段により降車有りが検出されることの条件に、アクセサリ電源がＯＦＦになったことが含まれることをその要旨としている。
【００１１】
同構成によると、降車検出手段により降車有りが検出されることの条件に、アクセサリ電源がＯＦＦになったことが含まれる。すなわち、本構成では、アクセサリ電源がＯＮである限り、置き忘れの報知はなされない。一方、本構成とは異なり、ドアが開になったことが単独で上記条件にされると、例えば、ドライバの交代に際し、アクセサリ電源がＯＮのままドアが開けられた場合にも、ドアが開となったことを契機に置き忘れの報知がなされ煩わしい。要するに、本構成では、降車の意志を示す意味合いの強い事象である「アクセサリ電源がＯＦＦになったこと」を上記条件に含ませることで、置き忘れの報知を的確に行うことができる。
【００１２】
請求項４に記載の発明は、請求項１〜３のいずれか一項に記載の置き忘れ報知装置において、前記制御手段は、アクセサリ電源がＯＦＦになったことを契機に、前記所定の置き場に置かれている前記特定の対象物によって所期の目的が達成されるために必要な動作を停止するとともに、前記条件を満たすとき、ドアが開になったことを契機に、前記報知手段による置き忘れの報知を行うことをその要旨としている。
【００１３】
同構成によると、アクセサリ電源がＯＦＦになったことを契機に、例えば充電が停止され、上記条件を満たすとき、ドアが開になったことを契機に、この場合、被充電物である特定の対象物が所定の置き場に置き忘れられていることが報知される。したがって、それぞれに適したタイミングで動作停止及び置き忘れ報知を行うことができる。
【発明の効果】
【００１４】
本発明によれば、特定の対象物が置き忘れられている場合に限り、置き忘れを報知することができる。
【図面の簡単な説明】
【００１５】
【図１】置き忘れ報知装置の一例である充電器のシステム構成と充電対象となるスマートフォンとを示すブロック図。
【図２】充電器の作用を示すグラフ。
【発明を実施するための形態】
【００１６】
以下、本発明に係る置き忘れ報知装置を車載非接触充電器に具体化した一実施の形態について説明する。この充電器はスマートフォンを非接触で充電する充電機能に加え、当該スマートフォンが充電器に置き忘れられている場合に置き忘れを報知する報知機能を備えるものと規定される。
【００１７】
図１に示すように、充電器１は、バッテリ電源を当該充電器１の構成要素に供給する電源回路１０と、充電機能及び報知機能に関する制御を司る制御回路２０と、制御回路２０による制御のもとスマートフォン２を充電する充電機能部３０と、制御回路２０による制御のもとスマートフォン２の置き忘れを音で報知するブザー４０とを備えている。
【００１８】
バッテリ電源は電源回路１０を介して制御回路２０及び充電機能部３０に常時供給される。充電機能部３０は、バッテリ電源を受けて動作する近接センサを備え、この近接センサにより、所定の置き場に対象物が置かれているか否かを監視する。充電機能部３０は、コイルアンテナを備え、所定の置き場に対象物が置かれているとき、その対象物が、当該所定の置き場に置かれることで所期の目的（本例では充電）が達成される特定の対象物であるか否かを認証するために、コイルアンテナを通じて所定の置き場の周辺に電波を短時間連続的に発信する。所定の置き場に置かれている対象物がスマートフォン２であるとき、このスマートフォン２は、連続的に発信されてくる電波から電力を賄いつつ、当該スマートフォン２の受電モジュールの制御ＩＣに記録されたＩＤ（充電規格のバージョンや最大受電電力）を送信する。充電機能部３０は、充電規格に則ったＩＤを受信したとき、所定の置き場に置かれている対象物が、充電器１の充電規格に則ったスマートフォン２（特定の対象物）であると肯定判断する。
【００１９】
充電機能部３０は、所定の置き場に置かれている対象物が特定の対象物であると肯定判断したとき、この対象物（本例ではスマートフォン２）の充電を開始する。本例では、充電機能部３０のコイルアンテナとスマートフォン２のコイルアンテナとの間での電磁誘導が利用され、非接触でスマートフォン２が充電される。
【００２０】
充電機能部３０は、スマートフォン２の充電中には、充電状態の管理制御のためにスマートフォン２との間で通信を行い、この通信が成立しているとき、充電対象物が設置されている旨、認識する。充電機能部３０は、対象物有無の監視を当該通信で代用し、近接センサの動作を停止する。充電機能部３０は、上記通信が断絶されると、近接センサを再起動し、この近接センサによる検知信号に基づき対象物の有無を判断する。充電機能部３０は、充電対象物であるスマートフォン２が取り上げられたことを検出すると、それまで所定の置き場に置かれていた対象物が特定の対象物（スマートフォン２）であるとする先の認証での肯定判断をリセットする。この場合、充電機能部３０は、スマートフォン２の充電を停止するとともに、所定の置き場に対象物が置かれているか否かの監視段階に戻り、対象物有りを検出すると、対象物が特定の対象物であるか否かの認証を行い、特定の対象物であると肯定判断したことを条件に、その対象物（本例ではスマートフォン２）の充電を開始する。
【００２１】
制御回路２０は、ネットワークを介して、アクセサリ電源がＯＦＦであることを示すＡＣＣ  ＯＦＦ信号を取得すると、充電機能部３０による充電動作を停止する充電停止信号を出力する。充電機能部３０は、充電停止信号を取得すると、コイルアンテナに対する通電を停止することでスマートフォン２の充電を停止する。
【００２２】
制御回路２０は、ＣＡＮ（Controller Area Network ）或いはＬＩＮ等を介して、ドアの開閉状態を示すカーテシ信号を取得する。制御回路２０は、充電機能部３０による監視結果及び認証結果を取得しつつ充電のために所定の置き場に置かれたスマートフォン２が取り上げられないことを条件に、ＡＣＣ  ＯＦＦ信号及びドアが開になったことを示すカーテシ信号の取得により降車有りを検出したとき、ブザー４０による置き忘れの報知を行う。
【００２３】
次に、充電器１の作用について説明する。
図２に概略を示すように、アクセサリ電源がＯＮになると充電機能部３０の近接センサにより対象物の有無が監視され、特定の対象物であるか否かの認証を経てスマートフォン２の充電が開始される。そして、充電の開始後も充電機能部３０による被充電物（本例ではスマートフォン２）の監視が継続される。そして、ポイントＰ１でアクセサリ電源がＯＦＦになったことを契機に、スマートフォン２の充電が停止される。そして、近接センサの再起動により被充電物の有無が判断され、スマートフォン２が取り上げられないことを前提に、ポイントＰ２でドアが開になったことを契機に、報知手段（ブザー４０）による置き忘れの報知が行われる。
【００２４】
本実施の形態の充電機能部３０は、所定の置き場に対象物が置かれているか否かを監視する「対象物監視手段」に相当する。また、充電機能部３０は、所定の置き場に置かれている対象物が、当該所定の置き場に置かれることで所期の目的（本例では充電）が達成される特定の対象物（本例では充電器１の充電規格に則ったスマートフォン２）であるか否かを認証する「対象物認証手段」に相当する。制御回路２０は、乗員が車両から降りることを検出する「降車検出手段」に相当する。本例では、制御回路２０により降車有りが検出されることの条件として、「アクセサリ電源がＯＦＦになったこと」と「ドアが開になったこと」とのＡＮＤ条件が採用されている。また、制御回路２０は、対象物認証手段（充電機能部３０）による肯定判断後に対象物監視手段（充電機能部３０）により否定判断されることがないことを条件に、降車検出手段（制御回路２０）による降車有りの検出を契機として、報知手段（ブザー４０）による置き忘れの報知を行う「制御手段」に相当する。
【００２５】
以上説明したように、本実施の形態によれば、以下の効果を奏することができる。
（１）スマートフォン２を充電するために、当該スマートフォン２が所定の置き場に置かれると、充電機能部３０による監視により対象物有りと肯定判断されるとともに、この対象物が充電機能部３０による認証により特定の対象物（充電器１の充電規格に則ったスマートフォン２）であると肯定判断される。そして、この肯定判断後にスマートフォン２が所定の置き場から取り上げられないことを条件に、降車有りが検出されると、置き忘れが報知される。一方、所定の置き場に、充電とは関係のない対象物（例えば、コインや充電規格の異なるスマートフォン）が置かれると、充電機能部３０による監視では肯定判断がなされるものの、充電機能部３０による認証では否定判断がなされる。よって、この場合、当該対象物（コイン等）が引き続き所定の置き場に置かれている状態で、降車有りが検出されても、この対象物（コイン等）は特定の対象物（充電器１の充電規格に則ったスマートフォン２）に該当しないため、置き忘れの報知はなされない。したがって、特定の対象物（充電器１の充電規格に則ったスマートフォン２）が置き忘れられている場合に限り、置き忘れを報知することができる。
【００２６】
（２）置き忘れの報知が必要であるか否かが判断されている期間中にスマートフォン２が所定の置き場から取り上げられると、充電機能部３０での認証による先の肯定判断がリセットされ、置き忘れの報知が必要であるか否かが改めて判断される。すなわち、後の対象物が特定の対象物に該当しない場合には置き忘れの報知はなされず、一方、後の対象物が特定の対象物に該当する場合には当該特定の対象物が所定の置き場から取り上げられないことを条件に、降車有りが検出されると、置き忘れが報知される。したがって、特定の対象物が置き忘れられている場合に限り、置き忘れを報知することができる。
【００２７】
（３）制御回路２０により降車有りが検出されることの条件に、アクセサリ電源がＯＦＦになったことが含まれる。すなわち、本構成では、アクセサリ電源がＯＮである限り、置き忘れの報知はなされない。一方、本構成とは異なり、ドアが開になったことが単独で上記条件にされると、例えば、ドライバの交代に際し、アクセサリ電源がＯＮのままドアが開けられた場合にも、ドアが開となったことを契機に置き忘れの報知がなされ煩わしい。要するに、本構成では、降車の意志を示す意味合いの強い事象である「アクセサリ電源がＯＦＦになったこと」を上記条件に含ませることで、置き忘れの報知を的確に行うことができる。
【００２８】
（４）アクセサリ電源がＯＦＦになったことを契機に充電が停止され、スマートフォン２が取り上げられないことを前提に、ドアが開になったとき、スマートフォン２が所定の置き場に置き忘れられていることが報知される。したがって、それぞれに適したタイミングで充電停止及び置き忘れ報知を行うことができる。
【００２９】
（５）充電機能部３０による対象物有無の監視について、近接センサの手法を用いることで、スマートフォン２等の対象物の有無を検出することができる。
（６）充電機能部３０による対象物認証について、ＩＤ認証により、特定の対象物（充電器１の充電規格に則ったスマートフォン２）であるか否かを的確に判断することができる。
【００３０】
尚、上記実施の形態は、次のように変更して具体化することも可能である。
・制御回路２０により降車有りが検出されることの条件から「ドアが開になったこと」を外し、「アクセサリ電源がＯＦＦになったこと」を単独で当該条件にしてもよい。この場合、ドアが開けられる前の段階、すなわちアクセサリ電源をＯＦＦにするための操作が行われた直後の段階、言い換えると、乗員が確実に車内に居る段階で置き忘れの報知がなされるため、スマートフォン２が置き忘れられていることを乗員に確実に知らせることができる。尚、カーテシ信号の取得が割愛されることに伴い、ＣＡＮ等に接続されない構成で対応できることになる。
【００３１】
・制御回路２０により降車有りが検出されることの条件に、アクセサリ電源がＯＦＦになったことが必ずしも含まれていなくてもよい。ドアが開になったことを単独で上記条件にしてもよい。この場合、乗員が車内から出ようとする瞬間に置き忘れの報知がなされるところ、当該報知を乗員に確実に知らせるために、上記実施の形態に倣い、音による報知のなされる構成が望ましい。
【００３２】
・充電機能部３０による対象物有無の監視について、近接センサ（静電センサ等）の手法に代えて又は加えて、電波ポーリングの手法を採用してもよい。電波ポーリングの手法では、所定の置き場に対象物が置かれているか否かを監視するために、コイルアンテナを通じて所定の置き場の周辺に電波が間欠的に発信される。コイルアンテナには、所定の置き場に金属物が置かれているときと置かれていないときとで互いに異なる共振周波数による電流が流れる。所定の置き場に金属物が置かれているときの共振周波数による電流がコイルアンテナに流れていることが検出されると、当該所定の置き場に金属物による対象物が置かれていると肯定判断される。このように肯定判断されると、次のフェーズで、その対象物が、当該所定の置き場に置かれることで所期の目的（例えば充電）が達成される特定の対象物であるか否かを認証するために、電波が短時間連続的に発信される。所定の置き場に置かれている対象物がスマートフォン２であるとき、このスマートフォン２は、連続的に発信されてくる電波から電力を賄いつつ、ＩＤ（充電規格のバージョンや最大受電電力）を送信する。充電規格に則ったＩＤが受信されると、所定の置き場に置かれている対象物が、充電器１の充電規格に則ったスマートフォン２（特定の対象物）であると肯定判断される。
【００３３】
・上記実施の形態では、置き忘れ報知装置を非接触充電器に具体化したが、被充電物を接続端子を介して充電する充電器に具体化されてもよい。
・置き忘れの報知対象となる対象物はスマートフォン２等の被充電物に限定されない。したがって、所定の置き場も充電用の置き場に限定されない。
【００３４】
・充電器１がブザー４０を備える構成に限定されない。電源回路１０と制御回路２０と充電機能部３０とで充電器を構成し、その充電器と当該充電器とは別体のブザー４０（報知手段）とにより置き忘れ報知装置が構築されてもよい。
【００３５】
・報知手段は、ブザー（音）に限らず、ＬＥＤ（光）であってもよい。尚、これらの報知手段は、例えば運転席前方のメータパネルに設けられてもよい。
次に、上記実施の形態及び別例から把握できる技術的思想について記載する。
【００３６】
（イ）前記対象物監視手段は、対象物の有無を検知する近接センサを備え、この近接センサにより、対象物有りが検知されたとき、所定の置き場に対象物が置かれていると肯定判断する請求項１〜４のいずれか一項に記載の置き忘れ報知装置。同構成によると、近接センサの手法を用いることで、対象物の有無を検出することができる。
【００３７】
（ロ）前記対象物認証手段は、前記所定の置き場に置かれている対象物に対し電波を発信するとともに、当該所定の置き場に置かれている対象物が前記特定の対象物であるとき、この特定の対象物は、前記電波を受信して当該特定の対象物であることを示唆するＩＤを送信するものと規定され、前記対象物認証手段は、規格に則ったＩＤを受信したとき、前記所定の置き場に置かれている対象物が前記特定の対象物であると肯定判断する請求項１〜４、上記（イ）のいずれか一項に記載の置き忘れ報知装置。同構成によると、ＩＤ認証により、特定の対象物であるか否かを的確に判断することができる。
【符号の説明】
【００３８】
１…充電器（置き忘れ報知装置）、２…スマートフォン（対象物、特定の対象物）、１０…電源回路、２０…制御回路（降車検出手段、制御手段）、３０…充電機能部（対象物監視手段、対象物認証手段）、４０…ブザー（報知手段）。
【図１】
2014059835.tif 000003
【図２】
2014059835.tif 000004